(57)【要約】      （修正有）【課題】簡単な構造でモバイル性を高くして、製造上の歩留まり減少やコスト上昇を抑えた表示装置を提供する。【解決手段】表示装置は、剛性を有し可撓性を有しない第１表示パネル１０と、柔軟性を有する第２表示パネル５８を有する。第１表示パネル１０は、第１表示領域１２から第１方向に偏った位置に、第２表示パネル５８との電気的及び機械的な第１接合部６８を有する。第２表示パネル５８は、第２表示領域６０から第２方向に偏った位置に、第１表示パネル１０との電気的及び機械的な第２接合部７０を有する。第１画像及び第２画像がそれぞれ表示される表示面同士が対向して第１表示領域１２及び第２表示領域６０が重なる状態で、第１接合部６８及び第２接合部７０が電気的及び機械的に接合する。第２表示パネル５８を、第２接合部７０に隣接して第２表示領域６０で屈曲させることで、第１画像及び第２画像が隣り合って表示される。【選択図】図２
2018025636.tif 000002
【特許請求の範囲】
【請求項１】
第１画像が表示される第１表示領域及び前記第１表示領域を囲む第１周辺領域を有して剛性を有する第１表示パネルと、
第２画像が表示される第２表示領域及び前記第２表示領域を囲む第２周辺領域を有して柔軟性を有する第２表示パネルと、
を有し、
前記第１表示パネルは、前記第１表示領域から第１方向に偏った位置に、前記第２表示パネルとの電気的及び機械的な第１接合部を有し、
前記第２表示パネルは、前記第２表示領域から第２方向に偏った位置に、前記第１表示パネルとの電気的及び機械的な第２接合部を有し、
前記第１画像及び前記第２画像がそれぞれ表示される表示面同士が対向して前記第１表示領域及び前記第２表示領域が重なる状態で、前記第１接合部及び前記第２接合部が電気的及び機械的に接合し、
前記第１表示パネルは、可撓性を有さず、
前記第２表示パネルを、前記第２接合部に隣接して前記第２表示領域で屈曲させることで、前記第１画像及び前記第２画像が隣り合って表示されることを特徴とする表示装置。
【請求項２】
請求項１に記載された表示装置において、
前記第２画像は、前記第１画像及び前記第２画像が隣り合って表示されたときに、前記第２表示領域の屈曲領域にも表示されることを特徴とする表示装置。
【請求項３】
請求項１又は２に記載された表示装置において、
前記第１画像及び前記第２画像は、合わせて１つの画像になることを特徴とする表示装置。
【発明の詳細な説明】
【技術分野】
【０００１】
本発明は、表示装置に関する。
【背景技術】
【０００２】
屈曲可能なフレキシブル基板に表示素子が積層された構造を有するフレキシブルディスプレイが開発されている。特許文献１に開示されるように、フレキシブルディスプレイを折り畳んで携帯できるようにすれば、比較的大きなモニタであっても持ち運びが可能になる。
【先行技術文献】
【特許文献】
【０００３】
【特許文献１】特開２０１６−１５６１８号公報
【発明の概要】
【発明が解決しようとする課題】
【０００４】
折り畳み式のフレキシブルディスプレイは、折り畳んで折り目がつくと表示が劣化するので、折り畳むときの曲率が過度に大きくならないように規制する構造が必要である。また、１枚のディスプレイを拡げて１画面を形成するので、二つ折りの片側の部分だけに欠陥があっても、ディスプレイ全体が不良となる。これにより、歩留りが減少し、コストが上がるという問題があった。
【０００５】
本発明は、簡単な構造でモバイル性を高くして、製造上の歩留まり減少やコスト上昇を抑えることを目的とする。
【課題を解決するための手段】
【０００６】
本発明に係る表示装置は、第１画像が表示される第１表示領域及び前記第１表示領域を囲む第１周辺領域を有して剛性を有する第１表示パネルと、第２画像が表示される第２表示領域及び前記第２表示領域を囲む第２周辺領域を有して柔軟性を有する第２表示パネルと、を有し、前記第１表示パネルは、前記第１表示領域から第１方向に偏った位置に、前記第２表示パネルとの電気的及び機械的な第１接合部を有し、前記第２表示パネルは、前記第２表示領域から第２方向に偏った位置に、前記第１表示パネルとの電気的及び機械的な第２接合部を有し、前記第１画像及び前記第２画像がそれぞれ表示される表示面同士が対向して前記第１表示領域及び前記第２表示領域が重なる状態で、前記第１接合部及び前記第２接合部が電気的及び機械的に接合し、前記第１表示パネルは、可撓性を有さず、前記第２表示パネルを、前記第２接合部に隣接して前記第２表示領域で屈曲させることで、前記第１画像及び前記第２画像が隣り合って表示されることを特徴とする。
【０００７】
本発明によれば、第２表示パネルを屈曲させると第１画像及び第２画像が隣り合って表示される一方で、第１表示領域及び第２表示領域を重ねられるようになっている。したがって、簡単な構造で小型化することができるのでモバイル性が高くなっている。また、第１表示パネル及び第２表示パネルを使用するので、その一方のみを交換すれば製造上の歩留まり減少やコスト上昇を抑えることができる。
【図面の簡単な説明】
【０００８】
【図１】本発明の実施形態に係る表示装置の平面図である。
【図２】図１に示す表示装置のII−II線断面図である。
【図３】図２にIIIで示す部分の拡大図である。
【図４】図２にIVで示す部分の拡大図である。
【発明を実施するための形態】
【０００９】
以下、本発明の実施形態について図面を参照して説明する。但し、本発明は、その要旨を逸脱しない範囲において様々な態様で実施することができ、以下に例示する実施形態の記載内容に限定して解釈されるものではない。
【００１０】
図面は、説明をより明確にするため、実際の態様に比べ、各部の幅、厚さ、形状等について模式的に表される場合があるが、あくまで一例であって、本発明の解釈を限定するものではない。本明細書と各図において、既出の図に関して説明したものと同様の機能を備えた要素には、同一の符号を付して、重複する説明を省略することがある。
【００１１】
さらに、本発明の詳細な説明において、ある構成物と他の構成物の位置関係を規定する際、「上に」「下に」とは、ある構成物の直上あるいは直下に位置する場合のみでなく、特に断りの無い限りは、間にさらに他の構成物を介在する場合を含むものとする。
【００１２】
図１は、本発明の実施形態に係る表示装置の平面図である。図２は、図１に示す表示装置のII−II線断面図である。表示装置として、有機エレクトロルミネッセンス表示装置を例に挙げる。表示装置は、例えば、赤、緑及び青からなる複数色の単位画素（サブピクセル）を組み合わせて、フルカラーの画素を形成し、フルカラーの画像を表示するようになっている。
【００１３】
表示装置は、剛性を有して可撓性を有しない第１表示パネル１０を含む。表示装置は、少なくとも一部が剛性を有するので、図示しない筐体への実装が容易になる。第１表示パネル１０は、第１画像が表示される第１表示領域１２を有する。第１表示パネル１０は、第１表示領域１２を囲む第１周辺領域１４を有する。
【００１４】
図３は、図２にIIIで示す部分の拡大図である。第１表示パネル１０は第１基板１６を有する。第１基板１６は、例えばガラスからなり剛性を有する。第１基板１６には、それ自体が含有する不純物に対するバリアとなるアンダーコート層１８が形成される。アンダーコート層１８は、シリコン酸化膜又はシリコン窒化膜等からなり、それらの積層構造であっても良い。アンダーコート層１８の上には半導体層２０が形成されている。半導体層２０にソース電極２２及びドレイン電極２４が電気的に接続し、半導体層２０を覆ってゲート絶縁膜２６が形成されている。ゲート絶縁膜２６の上にはゲート電極２８が形成され、ゲート電極２８を覆って層間絶縁膜３０が形成されている。ソース電極２２及びドレイン電極２４は、ゲート絶縁膜２６及び層間絶縁膜３０を貫通している。半導体層２０、ソース電極２２、ドレイン電極２４及びゲート電極２８によって薄膜トランジスタ３２が構成される。薄膜トランジスタ３２を覆うようにパッシベーション膜３４が設けられている。
【００１５】
パッシベーション膜３４の上には、平坦化層３６が設けられている。平坦化層３６の上には、複数の単位画素（サブピクセル）それぞれに対応するように構成された複数の画素電極３８（例えば陽極）が設けられている。平坦化層３６は、少なくとも画素電極３８が設けられる面が平坦になるように形成される。平坦化層３６としては、感光性アクリル樹脂等の有機材料が多く用いられる。画素電極３８は、平坦化層３６及びパッシベーション膜３４を貫通するコンタクトホール４０によって、半導体層２０上のソース電極２２及びドレイン電極２４の一方に電気的に接続している。
【００１６】
平坦化層３６及び画素電極３８上に、絶縁層４２が形成されている。絶縁層４２は、画素電極３８の周縁部に載り、画素電極３８の一部（例えば中央部）を開口させるように形成されている。絶縁層４２によって、画素電極３８の一部を囲むバンクが形成される。
【００１７】
画素電極３８上に発光層４４が設けられている。発光層４４は、画素電極３８ごとに別々に（分離して）設けられ、絶縁層４２にも載るようになっている。この場合は各画素に対応して青、赤、緑で発光層４４が発光するようになる。各画素に対応する色はこれに限られず、例えば、黄、白等でも良い。これらの層は、例えば、蒸着により形成される。また、これらの層は表示領域を覆う全面に、又は複数の画素に亘って形成されてもよい。つまり、図３において、発光層４４が絶縁層４２上で連続してもよい。この場合、発光層４４は溶媒分散による塗布により形成される。ベタ形成の場合には、全サブピクセルにおいて白色光を得て、後述する第１対向基板５６にカラーフィルタを設けることにより所望の色波長部分を取り出す構成とすることができる。
【００１８】
発光層４４の上には、共通電極４６（例えば陰極）が設けられている。共通電極４６は、バンクとなる絶縁層４２の上方に載るように形成する。発光層４４は、画素電極３８及び共通電極４６に挟まれ、両者間を流れる電流によって輝度が制御されて発光する。発光層４４と画素電極３８との間には、図示しない正孔輸送層及び正孔注入層の少なくとも一層を設けてもよい。発光層４４と共通電極４６との間には、図示しない電子輸送層及び電子注入層の少なくとも一層を設けてもよい。
【００１９】
発光層４４は、共通電極４６に積層する封止層４８によって覆われることで封止されて水分から遮断される。封止層４８は、ＳｉＮなどの無機膜を含み、積層構造であっても良い。例えば、一対の無機層５０，５２の間に樹脂などの有機膜５３を挟む構造であってもよい。図３において封止層４８は、共通電極４６とは反対側に段差又は凹凸を有しているが、十分な厚さを有する場合、平坦になっていてもよい。
【００２０】
封止層４８には、粘着層５４を介して、第１対向基板５６が貼り付けられている。第１対向基板５６は、例えばガラスからなり剛性を有して可撓性を有しない。なお、第１基板１６及び第１対向基板５６の一方が剛性を有してれば、他方は、ポリイミドやポリエチレンテレフタラート等の可撓性を有するフィルムであってもよい。
【００２１】
図１及び図２に示すように、表示装置は、柔軟性を有する第２表示パネル５８を含む。第２表示パネル５８は、第２画像が表示される第２表示領域６０を有する。第２表示パネル５８は、第２表示領域６０を囲む第２周辺領域６２を有する。
【００２２】
図４は、図２にIVで示す部分の拡大図である。第２表示パネル５８は第２基板６４を有する。第２基板６４は、柔軟性を有し、ポリイミドやポリエチレンテレフタラート等の可撓性を有するフィルムなどを用いてもよい。第２基板６４は、複数層で形成してもよい。
【００２３】
第２基板６４の上に積層される構造は、第１表示パネル１０で説明した内容が該当する。ただし、粘着層５４に貼り付けられる第２対向基板６６は、柔軟性を有し、ポリイミドやポリエチレンテレフタラート等の可撓性を有するフィルムなどを用いてもよい。第２対向基板６６は、複数層で形成してもよい。
【００２４】
図２に示すように、第１表示パネル１０及び第２表示パネル５８は、電気的及び機械的に接合している。そのために、第１表示パネル１０は、第２表示パネル５８との電気的及び機械的な第１接合部６８を有する。第１接合部６８は、第１表示領域１２から第１方向（図２で右方向）に偏った位置にある。また、第２表示パネル５８は、第１表示パネル１０との電気的及び機械的な第２接合部７０を有する。第２接合部７０は、第２表示領域６０から第２方向（図２で右方向）に偏った位置にある。第１接合部６８及び第２接合部７０は対向している。
【００２５】
図２において、第２表示パネル５８が二点鎖線で示す状態にあるとき、第１画像及び第２画像がそれぞれ表示される表示面同士が対向して、第１表示領域１２及び第２表示領域６０が重なる。この状態で、第１接合部６８及び第２接合部７０が電気的及び機械的に接合する。第１表示パネル１０及び第２表示パネル５８は、電気的に接続するので、図１に示すように単一の集積回路チップ７２で駆動することができる。集積回路チップ７２は、第１表示パネル１０（第１周辺領域１４）に搭載される。
【００２６】
第２表示パネル５８を二点鎖線で示すように屈曲させずに伸ばせば、表示装置は小型化されて携帯できるようになる。第２表示パネル５８を、実線で示すように、第２接合部７０に隣接して第２表示領域６０で屈曲させることで、第１画像及び第２画像が隣り合って表示される（図１参照）。第２画像は、第１画像及び第２画像が隣り合って表示されたときに、第２表示領域６０の屈曲領域（図２）にも表示される。第１画像及び第２画像は、合わせて１つの画像になる。第１画像及び第２画像は、違和感なく連続的につながり、一体となって連続した画像を表示できるように、同一サイズで連続していることが望ましい。あるいは、第１表示パネル１０及び第２表示パネル５８を２画面モニタとして使用してもよい。
【００２７】
第２表示パネル５８の開閉操作（屈曲及び伸展操作）によってスイッチングを可能にしてもよい。例えば、第２表示パネル５８の内部に感圧センサもしくは曲げセンサを設けることにより、スイッチ機能を実現することができる。
【００２８】
本実施形態によれば、第２表示パネル５８を屈曲させると第１画像及び第２画像が隣り合って表示される一方で、第１表示領域１２及び第２表示領域６０を重ねられるようになっている。したがって、簡単な構造で小型化することができるのでモバイル性が高くなっている。また、第１表示パネル１０及び第２表示パネル５８を使用するので、その一方のみを交換すれば製造上の歩留まり減少やコスト上昇を抑えることができる。
【００２９】
なお、表示装置は、有機エレクトロルミネッセンス表示装置には限定されず、量子ドット発光素子（ＱＬＥＤ：Quantum‐Dot Light Emitting Diode）のような発光素子を各画素に備えた表示装置であってもよいし、液晶表示装置であってもよい。
【００３０】
本発明は、上述した実施形態に限定されるものではなく種々の変形が可能である。例えば、実施形態で説明した構成は、実質的に同一の構成、同一の作用効果を奏する構成又は同一の目的を達成することができる構成で置き換えることができる。
【符号の説明】
【００３１】
１０  第１表示パネル、１２  第１表示領域、１４  第１周辺領域、１６  第１基板、１８  アンダーコート層、２０  半導体層、２２  ソース電極、２４  ドレイン電極、２６  ゲート絶縁膜、２８  ゲート電極、３０  層間絶縁膜、３２  薄膜トランジスタ、３４  パッシベーション膜、３６  平坦化層、３８  画素電極、４０  コンタクトホール、４２  絶縁層、４４  発光層、４６  共通電極、４８  封止層、５０  無機層、５２  無機層、５３  有機膜、５４  粘着層、５６  第１対向基板、５８  第２表示パネル、６０  第２表示領域、６２  第２周辺領域、６４  第２基板、６６  第２対向基板、６８  第１接合部、７０  第２接合部、７２  集積回路チップ。
【図１】
2018025636.tif 000003
【図２】
2018025636.tif 000004
【図３】
2018025636.tif 000005
【図４】
2018025636.tif 000006